(57)【特許請求の範囲】
【請求項１】
同一面上に配置された１次巻線および２次巻線と、
互いに対向して配置されて閉磁路を形成する一対のコアと、を備え、
少なくとも一方のコアは、中央脚と、外周壁と、該中央脚及び該外周壁の間に形成され、一部が切開された不連続の隔壁と、該中央脚及び該隔壁の間に形成された凹部と、該外周壁及び該隔壁の間に形成された溝部と、が形成された溝形成コアであり、
前記溝部及び凹部には、前記１次巻線及び２次巻線のそれぞれが前記中央脚に対して同心状に配置されてなるインバータトランスにおいて、
前記外周壁の側面には、放熱用の開口部が形成されており、
互いに対向して配置されて閉磁路を形成する１対のコアは、溝形成コアと、該溝形成コアの溝形成面に対向して配置される板状コアとからなり、
板状コアの溝形成コアに対向する面に形成された中脚突起および隔壁突起の高さが外側脚よりも低く形成され、中央脚と中脚突起、隔壁と隔壁突起との間にギャップが形成されており、
前記２次巻線は、前記凹部に配置され、前記１次巻線は前記溝部に配置されていることを特徴とするインバータトランス。
【請求項２】
前記隔壁は、前記開口部に対応する位置が切開されていることを特徴とする請求項１記載のインバータトランス。
【請求項３】
溝形成コアに対向して配置される板状コアは、溝形成コアと対向する面に、溝形成コアにおける中央脚および隔壁に対応する位置にそれぞれ中脚突起および隔壁突起が有り、溝形成コアの外周壁に当接する外側脚を有し、中脚突起と隔壁突起との間および外側脚と隔壁突起との間にそれぞれ凹部が形成されていることを特徴とする請求項１又は２記載のインバータトランス。
【請求項４】
前記板状コアは、１次巻線端子板および２次巻線端子板とで挟持され、一体化されるように構成されていることを特徴とする請求項１〜３のいずれか１項に記載のインバータトランス。
【請求項５】
前記板状コアは、相対する側面に１次巻線端子板および２次巻線端子板を装着するための装着窪み部が形成されていることを特徴とする請求項１〜４のいずれか１項に記載のインバータトランス。
【請求項６】
２次巻線はボビンに巻回されて溝形成コアの中央脚と隔壁との間に形成された凹部に配置され、１次巻線はボビンレスの形態で外周壁と隔壁との間に形成された溝部に配置されていることを特徴とする請求項１〜５のいずれか１項に記載のインバータトランス。
【請求項７】
ボビンは１次巻線端子板および２次巻線端子板と一体的に構成されており、ボビンと端子板との結合部において、ボビンの下鍔に連なる係合突出部を端子板上面に形成してボビンの下鍔と端子板が一体的に構成されていることを特徴とする請求項６記載のインバータトランス。
【請求項８】
端子板上面に形成されたボビンの下鍔に連なる係合突出部は、溝形成コアの隔壁の切開部分と係合するように形成したことを特徴とする請求項７記載のインバータトランス。
【請求項９】
２次巻線端子板には２次巻線端末引出し切込み部が形成されていることを特徴とする請求項６〜８のいずれか１項に記載のインバータトランス。
【請求項１０】
２次巻線は主巻線と補助巻線とに分割して形成され、主巻線はボビンに巻回されて溝形成コアの中央脚と隔壁との間に形成された凹部に配置され、補助巻線は隔壁を介して外周壁と隔壁との間に形成された溝部に同心状に配置され、該溝部において、補助巻線の外側に隣接して１次巻線が、主巻線、補助巻線と同心状に配置されていることを特徴とする請求項１〜９のいずれか１項に記載のインバータトランス。
【発明の詳細な説明】
【０００１】
【発明の属する技術分野】
本発明は、放電灯点灯用のＤＣ／ＡＣインバータ回路に使用されるインバータトランスの構造に関するものである。
【０００２】
【従来の技術】
従来、液晶表示装置のバックライト等に用いる放電灯点灯用のＤＣ／ＡＣインバータ回路に用いられるトランスとして、一般的に１次巻線と２次巻線を、磁性体からなる１対のコアで挟持し、所定の電磁結合を行わせるようにしたものが知られている。また、このようなインバータトランスは、設置される場所が狭い間隔のところであり薄型のものが求められる。従来この種のトランスとして、例えば、１次巻線は高周波を発生する発振回路（インバータ）の出力端に接続され、２次巻線はバラストコンデンサー等を介して放電灯に接続されている構造のものが知られており、また、バラストコンデンサーの部分をチョークコイルに置き換えた構造のものも知られている。
【０００３】
１次巻線と２次巻線と、互いに対向して配置されて閉磁路を形成する１対のコアとを備え、１次巻線と２次巻線とコアとによって電磁結合を形成する従来一般に用いられているインバータトランスとしては、例えば、図１６に示すような構造のものがある。図１６において、１０１はＥ型コアを示し、７０１、６０１はそれぞれ前記E型コアの外側脚１０３に巻線した１次巻線および２次巻線である。２０１はE型コアに対向して配置されるI型コアであり、E型コア１０１の中央脚１０２とＩ型コア２０１との間にギャップ２０２が形成されている。このE型コアの外側脚１０３と対向するI型コアとの間には通常、絶縁材料からなるスペーサー２０３が挟みこまれ、E型コアとI型コアはスペーサー２０３を通して閉磁路を形成している。このような構造のトランスでは、スペーサーの厚みを変えることによって閉磁路の磁気抵抗を変化させ、１次巻線と２次巻線の結合度を調整することができる。しかしながら、結合度を調整するためには種々の厚みのスペーサーを準備し、所望する結合度によって使い分けする必要があり、部品の点数が増えるうえに組み立て作業が煩雑になる。またスペーサーには厚みがあるためにトランスの高さ寸法を低くすることができず薄型のものを作製し難い欠点がある。さらに、上記構造の場合にはスペーサー部分から磁束が外部に漏れ、トランスに近接した電子部品や周辺機器などに磁気的な悪影響を与える危険性がある。
【０００４】
特開平１０−３３５１５７号公報には、１次巻線と２次巻線の結合係数の調整を容易にしたインバータトランスとして、閉磁回路を形成する１対のコアと、１次巻線と２次巻線とを備えてなり、一対のコアのうち、下側のコアは四角形の平板状の部分とその両端部に一体成形された二つの円柱状の突出部とからなり、各突出部にはボビンの巻軸を取り付け、二つの巻軸にそれぞれ１次巻線、２次巻線を巻回し、１次巻線の一部を２次巻線の上に巻回して構成したものが開示されている。また、特開２０００−１２４０４５号公報には、多灯用のインバータトランスとして、１次巻線を中心にして対称の位置に、同一巻数の第１、第２の２次巻線をそれぞれ配置し、１次巻線と第１の２次巻線、１次巻線と第２の２次巻線とをそれぞれ略同一の結合度で電磁結合させた一個のインバータトランスで複数の出力が得られるように構成したものが開示されている。
これらの発明はいずれも、１次巻線と２次巻線とを並列に配置した構成となっている。特開平１０−３３５１５７号公報記載の発明においては、１次巻線の一部を２次巻線の上に巻回するように構成してあるために、低圧側の巻線すなわち１次巻線の引出し線が高圧側の巻線すなわち２次巻線と交叉して配置されることになり、その結果、各巻線における絶縁性を高めなければトランス性能に支障を来すおそれがある。また、同発明においてはコアの接合部から磁束が外部に漏れる虞があるという欠点がある。
一方、特開２０００−１２４０４５号公報に記載の発明においては、１次巻線を中心に、その両側に２次巻線が配置されているため、１次巻線と第１の２次巻線、１次巻線と第２の２次巻線において、それぞれ１次巻線と２次巻線との間の結合係数の調整を行うことが難しいという欠点がある。
【０００５】
特開平２０００−６８１３２号公報には、外形寸法が大きく幅の狭い部分に取り付ける形状のインバータトランスとして、ボビンの巻軸の横断面の外形を長円形とし、幅が狭い側をボビンのベース部の端子が取り付けられた側面側に向けて巻軸をベース部に一体成形し、一方のコアの中央部に断面が長円形の中央脚を、四隅に外脚をそれぞれ形成し、中央脚を前記巻軸の孔に挿入し、外脚を他方のコアに突き合わせてなる構造のものが開示されている。この特開２０００−６８１３２号公報に記載のものはコアの側面部が開放状態となっており磁束の漏洩の虞があり、周辺の電子部品や電子機器に磁気的な悪影響を与える虞がある。
【０００６】
また特開２０００−２４３６３３号公報には、従来の１次巻線と２次巻線とを上下に配置した構造のトランスを薄型化するためのボビンを開示している。すなわち同公報には、ベース部の上面に一体成形された円筒状の巻軸を備えたボビンであって、巻軸の外側の位置に巻軸と同心状の円筒形の第２の巻軸を設け、この第２の巻軸の上端に、外側に張り出した鍔を形成したインバータトランス用ボビンが開示されている。この特開２０００−２４３６３３号公報記載の発明は、２次巻線を中心軸側に配置し、１次巻線を外側に同心状に配置した構成を有する。しかしながら同公報図３にみられるように1次巻線は外部に露出した状態で配置されており、そのため磁束が外部に漏れ、周辺の電子部品や電子機器に磁気的な悪影響を与える虞がる。さらにボビンに端子部が一体的形成されていることから巻線をボビンに巻回する際の作業性が悪いという欠点がある。
【０００７】
【発明が解決しようとする課題】
本発明者は、高さ寸法を低くして薄型化を図り、１対のコア同士の接合部から磁束が外部に漏れる虞のないインバータトランスとして、互いに対向して配置されて閉磁路を形成する１対のコアのうちの少なくとも一方のコアを、中央脚と外周壁とを有するとともに、中央脚と外周壁との間に隔壁を有し、かつ中央脚と隔壁との間、および隔壁と外周壁との間にそれぞれ溝部を同心状に形成してなる溝形成コアとして構成し、この溝形成コアの中央脚と隔壁との間の溝部に２次巻線を、隔壁と外周壁との間の溝部に１次巻線をそれぞれ同心状に配置し、対向して配置される板状コアと溝形成コアの中央脚、隔壁との間にギャップを形成し、かつ、溝形成コアの外周壁と板状コアとが密閉されて閉磁路を形成するインバータトランスを提供した。
【０００８】
上記の構造からなるインバータトランスは外部への磁束の漏れがなく性能上優れたものであるが、放熱性に難点があること、組立て作業上、またコアの成形加工の点においても難点があること等があり、本発明者は、さらに検討を加え、本発明を為した。
【０００９】
【課題を解決するための手段】
すなわち、本発明は（１）同一面上に配置された１次巻線および２次巻線と、互いに対向して配置されて閉磁路を形成する一対のコアと、を備え、少なくとも一方のコアは、中央脚と、外周壁と、該中央脚及び該外周壁の間に形成され、一部が切開された不連続の隔壁と、該中央脚及び該隔壁の間に形成された凹部と、該外周壁及び該隔壁の間に形成された溝部と、が形成された溝形成コアであり、前記溝部及び凹部には、前記１次巻線及び２次巻線のそれぞれが前記中央脚に対して同心状に配置されてなるインバータトランスにおいて、前記外周壁の側面には、放熱用の開口部が形成されており、互いに対向して配置されて閉磁路を形成する１対のコアは、溝形成コアと、該溝形成コアの溝形成面に対向して配置される板状コアとからなり、板状コアの溝形成コアに対向する面に形成された中脚突起および隔壁突起の高さが外側脚よりも低く形成され、中央脚と中脚突起、隔壁と隔壁突起との間にギャップが形成されており、前記２次巻線は、前記凹部に配置され、前記１次巻線は前記溝部に配置されていることを特徴とするインバータトランスに関する。
（２）前記隔壁は、前記開口部に対応する位置が切開されていることを特徴とする上記（１）記載のインバータトランスに関する。
【００１２】
（３）溝形成コアに対向して配置される板状コアは、溝形成コアと対向する面に、溝形成コアにおける中央脚および隔壁に対応する位置にそれぞれ中脚突起および隔壁突起が有り、溝形成コアの外周壁に当接する外側脚を有し、中脚突起と隔壁突起との間および外側脚と隔壁突起との間にそれぞれ凹部が形成されていることを特徴とする上記（１）又は（２）記載のインバータトランスに関する。
（４）前記板状コアは、１次巻線端子板および２次巻線端子板とで挟持され、一体化されるように構成されていることを特徴とする上記（１）〜（３）のいずれか１つに記載のインバータトランスに関する。
（５）前記板状コアは、相対する側面に１次巻線端子板および２次巻線端子板を装着するための装着窪み部が形成されていることを特徴とする上記（１）〜（４）のいずれか１つに記載のインバータトランスに関する。
【００１４】
（６）２次巻線はボビンに巻回されて溝形成コアの中央脚と隔壁との間に形成された凹部に配置され、１次巻線はボビンレスの形態で外周壁と隔壁との間に形成された溝部に配置されていることを特徴とする上記（１）〜（５）のいずれか１つに記載のインバータトランスに関する。
【００１５】
（７）ボビンは１次巻線端子板および２次巻線端子板と一体的に構成されており、ボビンと端子板との結合部において、ボビンの下鍔に連なる係合突出部を端子板上面に形成してボビンの下鍔と端子板が一体的に構成されていることを特徴とする上記（６）記載のインバータトランスに関する。
【００１６】
（８）端子板上面に形成されたボビンの下鍔に連なる係合突出部は、溝形成コアの隔壁の切開部分と係合するように形成したことを特徴とする上記（７）記載のインバータトランスに関する。
【００１７】
（９）２次巻線端子板には２次巻線端末引出し切込み部が形成されていることを特徴とする上記（６）〜（８）のいずれか１つに記載のインバータトランスに関する。
【００１８】
また、（１０）２次巻線は主巻線と補助巻線とに分割して形成され、主巻線はボビンに巻回されて溝形成コアの中央脚と隔壁との間に形成された凹部に配置され、補助巻線は隔壁を介して外周壁と隔壁との間に形成された溝部に同心状に配置され、該溝部において、補助巻線の外側に隣接して１次巻線が、主巻線、補助巻線と同心状に配置されていることを特徴とする上記（１）〜（９）のいずれか１つに記載のインバータトランスに関する。
【００１９】
【発明の実施の形態】
本発明を図面により説明する。図１は、本発明インバータトランスの外観斜視図、図２は、本発明インバータトランスの上面図、図３は、底面図を示す。また図４、図５は、本発明インバータトランスの別々の実施態様を示す分解斜視図であり、図４は１次巻線と２次巻線が共にボビンレス巻線の場合を示し、図５は２次巻線を端子板と一体に構成したボビンに巻回し、１次巻線をボビンレス巻線とした場合を示す。図６は、前記分解斜視図で示したインバータトランスを組立てた状態の断面図であって図２のＡ−Ａ断面図を示し、図６（１）は図４に対応し、図６（２）は、図５に対応する断面図である。図７は、本発明の溝形成コアの裏面図（溝形成面）、図８は開口部を有する外周壁側面図をそれぞれ示し、図９は、図７のＢ−Ｂ断面図を示す。図１０は本発明の板状コアの裏面図（溝形成コアと対向する面）、図１１は、板状コア側面図をそれぞれ示す。図１２は本発明において端子板とボビンとが一体に構成された端子板の側面図、図１３は、同上面図、図１４は、同底面図をそれぞれ示す。図１５は本発明の別の実施態様（２次巻線を主巻線と補助巻線とに分割して配置した例）の断面図を示す。
各図において、１は本発明のインバータトランスを構成する溝形成コア、４は溝形成コアの外周壁、６は溝形成コア側面に設けられた開口部、２は板状コアをそれぞれ示す。１２は２次巻線、１３は１次巻線をそれぞれ示し、１０ａ、１０ｂはそれぞれ１次巻線端子板、２次巻線端子板を示す。１１ａ、１１ｂはそれぞれ外部接続端子を示す。９はボビン、９１はボビンの下鍔、１４は係合突出部をそれぞれ示す。
【００２０】
本発明の溝形成コア１は、図７〜図９に示すように、中央脚３と外周壁４とを有し、外周壁４の相対する側面に開口部６が形成されている。中央脚３と外周壁４との間に隔壁５が形成されており、該隔壁は、外周壁４に形成された開口部６，６に対応する位置において切開されて不連続の隔壁５を形成している。中央脚３と隔壁５との間には凹部７が形成されており、隔壁５と外周壁４との間には溝部８が形成されている。
【００２１】
溝形成コアに対向して配置される本発明の板状コア２は、図１０に示されるように、その側面には端子板の装着窪み部１９ａ、１９ｂが形成されている。また、板状コアの一方の面、すなわち、溝形成コアに対向して配される面には、溝形成コア１における中央脚３、隔壁５に対応する中脚突起３１、隔壁突起５１がそれぞれ設けられ、溝形成コアの溝部８、凹部７に対応してそれぞれ凹部８１、凹部７１が形成されている。
そして溝形成コア１と板状コア２とは、中央脚３と中脚突起３１との間、隔壁５と隔壁突起５１との間にギャップ２０、２２を形成し、溝形成コアの外周壁４と板状コアの外側脚４１が密に当接されて前記板状コア２と溝形成コア１は閉磁路を形成する。板状コア２は、端子板の装着窪み部１９ａ、１９ｂに、端子板の対応する突部１８ａ、１８ｂが嵌め込まれ、端子板１０ａ、および１０ｂとで挟持され、一体化されるように構成されている。
【００２２】
本発明において、２次巻線１２は、ボビン９に巻回して、またはボビンに巻回することなく扁平な巻線として、溝形成コア１の中央脚３と隔壁５との間に形成された凹部７に配置される。１次巻線１３は、一般にボビンに巻回されることなくボビンレスの形態で扁平な巻線として隔壁５と外周壁４との間の溝部８に配置される。１次巻線および２次巻線の引出し線端末はそれぞれ端子板に埋設された外部接続端子部にそれぞれ接続される。
【００２３】
本発明の実施態様の一つは、図４および図６（１）に示されるように、１次巻線および２次巻線は共に扁平なボビンレスの巻線として、２次巻線は前記溝形成コアの中央脚３と隔壁５との間に形成された凹部７に配置し、１次巻線は隔壁５と外周壁４との間の溝部８に配置し、中央脚を中心に同心状に配置される。そして対向して配置される板状コアと、端子板とにより挟持して一体的に構成される。
【００２４】
本発明における別の実施態様は、図５および図６（２）に示すように、図１２〜図１４に示すボビンと端子板とを一体に構成したボビンを使用した形態であり、本発明における好ましい態様の一つである。
この実施態様についてさらに説明すると、図１２、図１４に示されるように、ボビン９は溝形成コアの中央脚に挿入される挿入孔２４を有し、ボビンの下鍔９１が、板状コアの端子板の装着窪み部１９ａ、１９ｂに対応する端子板１０ａ、１０ｂにおける突部形成部分で一体的に結合されている。そして図１２、図１３に示されるように、端子板１０ａ、１０ｂとボビンとの結合部分で、両方の端子板上面にボビンの下鍔９１に連なって係合突出部１４を形成してボビン下鍔と端子板が一体的に構成されている。この係合突出部１４は、溝形成コアにおける隔壁５の切開部分に係合するように切開部の幅と同一の幅をもって形成されている。
したがって、溝形成コアに組み込まれる際に、前記係合突出部が切開部に係合し、回転等することがなく、位置決めが容易に行なわれ、組立て作業が容易である。端子板１０ａ、１０ｂの突部１８ａ、１８ｂと板状コアの端子板の装着窪み部１９ａ、１９ｂとが嵌合するように形成されており、板状コアの組み込み、位置あわせも容易に行うことができる。また、２次巻線端子板１０ｂは巻線端末引出し切込み部１７が形成されており２次巻線端末の引出しが容易で引出し線が１次巻線と交叉することもない。端子板裏面には引出し線案内溝２１が設けられており、２次巻線端末は、2次巻線端子板に設けられた巻線端末引出し切込み部１７、引出し線案内溝２１を通して、端子板に埋設された端子１１ｂに接続されている。
【００２５】
本発明におけるさらに別の実施態様として、図１５に示したように、2次巻線１２を主巻線１２ｍと補助巻線１２ｓとに分割して、主巻線１２ｍはボビン９に巻回して、中央脚３と隔壁５との間に形成された凹部７に、ボビンの中央脚挿入孔２４を中央脚３に挿入して配置し、補助巻線１２ｓはボビンレスの扁平な巻線として隔壁５を介して外周壁４と隔壁５との間に形成された溝部８に、１次巻線１３の内側で、かつ1次巻線と隣接して配置される。すなわち、溝形成コア１の中央脚３を中心にして２次巻線１２の主巻線１２ｍ、補助巻線１２ｓ、１次巻線１３が順次同心状に配置されている。
このように２次巻線を主巻線と補助巻線に分割して上記のように配置することにより、１次巻線１３は、２次巻線１２の一部を構成する補助巻線１２ｓと強く結合し、主巻線１２ｍとは弱く結合するために結合度の調整は補助巻線１２ｓの巻数を変えることにより容易に調整することができる。
【００２６】
本発明においては上記したように、端子板１０ａ、１０ｂと一体に構成されたボビンは、２次巻線が巻回されて中央脚挿入孔２４により溝形成コアの中央脚に挿入され、中央脚と隔壁との間に形成された凹部７に装着される。１次巻線は隔壁５と外周壁４との間の溝部８に配置され、溝形成コアと板状コアとにより、溝形成コアの中央脚３と板状コアの中脚突起３１との間、溝形成コアの隔壁５と板状コアの隔壁突起５１との間においてそれぞれギャップ２０、２２を形成して、溝形成コアの外周壁４と板状コアの外側脚４１とが密に当接して一体に形成されている。この際、板状コアの端子板の装着窪み部１９ａ、１９ｂに対応する、端子板の突部１８ａ、１８ｂが嵌合して一体化される。このようにして構成される本発明における構造のインバータトランスでは溝形成コアの中央脚および隔壁と、板状コアの対応する中脚突起および隔壁突起との間に形成されるギャップを通して閉磁路が形成されるのである。
【００２７】
而して、1次巻線に電流を流すと、磁束は、溝形成コア１の中央脚３−外周壁４−外側脚４１−板状コア２−中脚突起３１−ギャップ２０−中央脚３を循環する経路と、中央脚３−隔壁５−ギャップ２２−隔壁突起５１−板状コア２−中脚突起３１−ギャップ２０−中央脚３を循環する経路とに分岐して発生する。発生する磁束は２次巻線１２と鎖交するので２次巻線１２の両端に昇圧された電圧が発生する。
このとき、２次巻線１２は１次巻線１３の内側に同心状に配置されているので、磁束はすべて２次巻線１２と鎖交する。したがって１次巻線と２次巻線の結合度の調整は,前記中央脚３と中脚突起３１との間のギャップ２０、および隔壁５と隔壁突起５１との間のギャップ２２をそれぞれに適宜変えることにより行なうことができる。また、本発明のインバータトランスは上記のように溝形成コアの外周壁４と、板状コアの外側脚４１とは密に当接されて構成されており、さらに、板状コア２と端子板１０ａ、１０ｂによって溝形成コア１の溝形成面が閉塞されているので、磁束が外部に漏れることがなく効率的である。
【００２８】
また、本発明の構造においては、溝形成コア１の外周壁４の相対する側面に開口部６が形成されている。この開口部６は、図７に見られるように中央脚３と隔壁５との間の凹部７、および隔壁５と外周壁４との間の溝部８と連通した構造になっており、これによりコア内に発生した発熱を外部に放熱する機能を有する。
【００２９】
【発明の効果】
本発明のインバータトランスは、組立て、製造が容易であり、１次巻線と２次巻線との間の磁気的結合度を容易に調整することができ、かつ一対のコアの接合部から磁束が漏れるおそれがなく、一方溝形成コアの側面に開口部が形成されておりコア内に発生した発熱を放熱する機能を有するものであり、放電灯点灯用ＤＣ／ＡＣインバータ回路に使用した場合に利用価値が大きく有益なものである。
【図面の簡単な説明】
【図１】本発明インバータトランスの外観斜視図。
【図２】本発明インバータトランスの上面図。
【図３】本発明インバータトランスの底面図。
【図４】本発明インバータトランスの分解斜視図。
【図５】本発明インバータトランスの分解斜視図。
【図６】図２のＡ−Ａ断面図。（１）は巻線をボビンレスで配置した例を、（２）は２次巻線をボビンに巻回して配置した例をそれぞれ示す。
【図７】本発明の溝形成コアの裏面図（溝形成面）。
【図８】開口部を有する外周壁側面図。
【図９】図７のＢ−Ｂ断面図。
【図１０】本発明の板状コアの裏面図（溝形成コアと対向する面）。
【図１１】板状コア側面図。
【図１２】端子板とボビンとが一体に構成された端子板の側面図。
【図１３】同上面図。
【図１４】同底面図。
【図１５】本発明の別の実施態様（２次巻線を主巻線と補助巻線とに分割して配置した例）の断面図。
【図１６】従来使用のインバータトランスの一例の断面図。
【符号の説明】
１    溝形成コア
２    板状コア
３    中央脚
３１    中脚突起
４    外周壁
４１    外側脚
５    隔壁
５１    隔壁突起
６    開口部
７    凹部
８    溝部
７１、８１    板状コアの凹部
９    ボビン
９１    ボビンの下鍔
１０ａ、１０ｂ    端子板
１１ａ、１１ｂ    端子
１２    ２次巻線
１３    １次巻線
１４    係合突出部
１５    巻線端末案内溝
１７    切込み部
１８ａ、１８ｂ    嵌合突部
１９ａ、１９ｂ    嵌合凹部
２０、２２    ギャップ
２１    ２次巻線案内溝
２４    中央脚挿入孔
【図１】
0004783516.tif 000002
【図２】
0004783516.tif 000003
【図３】
0004783516.tif 000004
【図４】
0004783516.tif 000005
【図５】
0004783516.tif 000006
【図６】
0004783516.tif 000007
【図７】
0004783516.tif 000008
【図８】
0004783516.tif 000009
【図９】
0004783516.tif 000010
【図１０】
0004783516.tif 000011
【図１１】
0004783516.tif 000012
【図１２】
0004783516.tif 000013
【図１３】
0004783516.tif 000014
【図１４】
0004783516.tif 000015
【図１５】
0004783516.tif 000016
【図１６】
0004783516.tif 000017